(57)【要約】【課題】１セグメント受信から１２セグメント受信に切替える場合における消費電力を小さくする。【解決手段】デジタル放送信号の受信時における受信品質を検出できるＣ／Ｎ検出器８５ｂを設け、チューナ部２９によりデジタル放送信号のうちＭセグメント（Ｍは自然数）から構成される信号を間欠的にシングル受信した場合の受信品質信号に基づいて、チューナ部２７によりデジタル放送信号のうちのＮセグメント信号（Ｎは自然数、Ｎ＜Ｍ）をシングル受信している状態から、チューナ部２７、２９を用いてＭセグメント信号をダイバシティ受信の状態とする。【選択図】図１
2010056838.tif 000002
【特許請求の範囲】
【請求項１】
デジタル放送信号がそれぞれ入力される第１、第２の入力端子と、この第１、第２の入力端子にそれぞれ接続されるとともに受信チャンネルをそれぞれ選局するとともに前記第１、第２の復調信号をそれぞれ出力する第１、第２のチューナ部と、前記第１、第２の復調信号がそれぞれ入力されるとともにシングル受信あるいはダイバシティ受信の信号処理を行うダイバシティ部を備え、前記デジタル放送信号の受信時における受信品質信号を検出できる受信品質検出器を設け、前記第２のチューナ部により前記デジタル放送信号のうちＭセグメント（Ｍは自然数）から構成される信号を間欠的にシングル受信した場合の前記受信品質信号に基づいて、前記第１のチューナ部により前記デジタル放送信号のうちのＮセグメント信号（Ｎは自然数、Ｎ＜Ｍ）をシングル受信している状態から、前記第１のチューナ部または第２のチューナ部を用いて前記Ｍセグメント信号をシングル受信する、あるいは前記第１、第２のチューナ部を用いて前記Ｍセグメント信号をダイバシティ受信の状態とする高周波受信装置。
【請求項２】
前記第１のチューナ部によりＮセグメント信号をシングル受信した場合の前記受信品質信号に基づいて、前記第２のチューナ部により前記Ｍセグメント信号を間欠的にシングル受信の状態とする請求項１に記載の高周波受信装置。
【請求項３】
前記受信品質検出部には、前記第１または第２のチューナ部から出力されるＣ／Ｎ信号が供給されるとともに予め定められた基準値と比較されることにより受信品質を検出できる第１のＣ／Ｎ検出器を用いる請求項１に記載の高周波受信装置。
【請求項４】
前記受信品質検出部には、前記ダイバシティ部から出力されるＣ／Ｎ信号が供給されるとともに予め定められた基準値と比較されることにより受信品質を検出できる第２のＣ／Ｎ検出器を用いる請求項１に記載の高周波受信装置。
【請求項５】
前記受信品質検出部には、前記ダイバシティ部から出力されるＢＥＲ（ビットエラーレート）信号が供給されるとともに予め定められた基準値と比較されることにより受信品質を検出できるＢＥＲ検出器を用いる請求項１に記載の高周波受信装置。
【請求項６】
前記受信品質検出部には、サブキャリア検出器からの受信品質信号を用いる請求項１に記載の高周波受信装置。
【請求項７】
前記第２のチューナ部は、入力から出力に向かって順に第１の利得制御入力を有する第１の増幅器、混合器、第１のフィルタ、第２の利得制御入力を有する第２の増幅器、Ａ／Ｄコンバータ、第２のフィルタ、復調器が接続され、前記混合器の出力と前記第１の利得制御用入力との間に接続される第１の利得制御器と、前記復調器の入力と前記第２の利得制御入力との間に接続される第２の利得制御器を設け、前記受信品質検出部は、前記第１、第２の利得制御器からそれぞれ出力される第１、第２のＡＧＣ（自動利得制御）電圧により受信品質を検出するＡＧＣ電圧検出器を用いる請求項１に記載の高周波受信装置。
【請求項８】
前記第１、第２の利得制御器からそれぞれ出力される第１、第２の利得制御電圧がそれぞれのＤＡＣ（デジタルアナログコンバータ）によりデジタル信号とされる請求項７に記載の高周波信号受信装置。
【請求項９】
前記第１、第２のチューナ部を複数のチューナ部とし、この複数のチューナ部からのそれぞれの出力信号が前記ダイバシティ部に入力される請求項１に記載の高周波受信装置。
【発明の詳細な説明】
【技術分野】
【０００１】
本発明は、ダイバシティ受信の可能な高周波受信装置に関するものである。
【背景技術】
【０００２】
以下、従来の高周波受信装置について図５を用いて説明する。図５において、高周波受信装置１は、高周波受信部２と、この高周波受信部２に接続されたダイバシティ部３から構成されている。
【０００３】
この高周波受信部２は、アンテナ４、５からのデジタル放送信号がそれぞれ入力されるチューナ部６、７とから構成されている。
【０００４】
また、ダイバシティ部３は、チューナ部６、７からそれぞれ出力される復調信号がそれぞれ供給されるダイバシティ回路８と、このダイバシティ回路８の出力がそれぞれ供給される誤り訂正回路９、１０と、この誤り訂正回路９、１０から出力されるＴＳ（トランスポートストリーム）信号がそれぞれ供給される出力端子１２、１３と、ダイバシティ回路８から出力されるＣ／Ｎ信号が検出されるＣ／Ｎ検出器１５から構成されている。
【０００５】
さらに、高周波受信部２、ダイバシティ部３には、システム制御部１７が接続されている。
【０００６】
以上のように構成された高周波受信装置１について、以下にその動作を説明する。アンテナ４、５から入力されるデジタル放送信号は、それぞれのチューナ部６、７に供給されて、システム制御部１７により選局され、さらに復調信号がダイバシティ回路８へそれぞれ入力される。
【０００７】
このダイバシティ回路８からそれぞれ出力される復調信号は、誤り訂正回路９、１０に供給される。また、ダイバシティ回路８から出力されるＣ／Ｎ信号は、Ｃ／Ｎ検出器１５により受信品質が検出される。
【０００８】
この受信品質信号の入力されるシステム制御部１７により、高周波受信部２、ダイバシティ回路８を制御して、シングル受信とダイバシティ受信を選択する。
【０００９】
この従来の高周波受信装置１は、例えば移動受信によるフェージングの影響により受信品質が所定レベルより悪い場合にはチューナ部６、チューナ部７とを用いて信号を受信するダイバシティ受信になり、受信品質が安定し所定レベルより良い場合にはチューナ部６、チューナ部７のいずれか一方を用いてシングル受信となる。これにより移動受信により受信状態の悪い場合にも高感度を確保でき、かつ受信状態が良い場合には消費電力を低減できる。
【００１０】
なお、この出願の発明に関連する先行技術文献情報としては、例えば、特許文献１が知られている。
【特許文献１】特開２００１−１５６７３８号公報
【発明の開示】
【発明が解決しようとする課題】
【００１１】
このような従来の高周波受信装置１においては、例えば、日本の地上波デジタル放送（ＩＳＤＢ−Ｔ）の場合、チューナ部６により１３セグメント信号を受信し、ダイバシティ部３において１セグメント、１２セグメント信号を分離してそれぞれ復号化した。
【００１２】
このダイバシティ部３を構成するダイバシティ回路８から出力されるＣ／Ｎ信号が入力されるＣ／Ｎ検出器１５では受信品質が検出され、受信品質が良好な場合には高画質な１２セグメント表示とし、受信品質が劣化した場合には低画質な１セグメントへ切替を行っている。
【００１３】
ところが、１２セグメント信号は、１セグメント信号に比べて、帯域が広く、また伝送量が多い。このため、１セグメント信号を受信する場合に比べて、１２セグメント信号を受信する場合では、約３．３倍の消費電力が必要とされる。従って、バッテリーで駆動する携帯端末では１セグメント受信から１２セグメント受信に切替える場合における消費電力が問題となった。
【００１４】
そこで本発明は、このような問題を解決したもので、１セグメント受信から１２セグメント受信に切替える場合における消費電力を小さくすることを目的としたものである。
【課題を解決するための手段】
【００１５】
この目的を達成するために本発明の高周波受信部は、デジタル放送信号の受信時における受信品質信号を検出できる受信品質検出器を設け、第２のチューナ部により前記デジタル放送信号のうちＭセグメント（Ｍは自然数）から構成される信号を間欠的にシングル受信した前記受信品質信号に基づいて、第１のチューナ部により前記デジタル放送信号のうちのＮセグメント信号（Ｎは自然数、Ｎ＜Ｍ）をシングル受信している状態から、前記第１、第２のチューナ部を用いて前記Ｍセグメント信号をダイバシティ受信の状態とする。
【００１６】
これにより、所期の目的を達成することができる。
【発明の効果】
【００１７】
以上のように、本発明の高周波受信部は、デジタル放送信号の受信時における受信品質信号を検出できる受信品質検出器を設け、第２のチューナ部により前記デジタル放送信号のうちＭセグメント（Ｍは自然数）から構成される信号を間欠的にシングル受信した前記受信品質信号に基づいて、第１のチューナ部により前記デジタル放送信号のうちのＮセグメント信号（Ｎは自然数、Ｎ＜Ｍ）をシングル受信している状態から、前記第１、第２のチューナ部を用いて前記Ｍセグメント信号をダイバシティ受信の状態とする。
【００１８】
これにより、１セグメント受信から１２セグメント受信に切替える場合における消費電力を小さくすることが可能となる。
【発明を実施するための最良の形態】
【００１９】
（実施の形態１）
図１は、本発明の実施の形態１における高周波受信装置２１のブロック図である。図１において、高周波受信装置２１は、高周波受信部２３とダイバシティ部２５とシステム制御部２６とから構成されている。
【００２０】
高周波受信部２３には、チューナ部２７、２９と、チューナ部２７、２９の間に接続されたＡＧＣ電圧検出器３１が設けられている。
【００２１】
チューナ部２７には、アンテナ３３が接続された入力端子３５から出力端子３７に向かって順に、増幅器３９、混合器４１、フィルタ４３、増幅器４５、Ａ／Ｄコンバータ４７、フィルタ４９、復調器５１が設けられている。混合器４１の他方の入力には発振器５３の出力が接続されている。
【００２２】
また、復調器５１から出力されるＣ／Ｎ信号を予め定められた基準値と比較するＣ／Ｎ検出器５１ａが設けられている。
【００２３】
さらに、混合器４１の出力と増幅器３９に設けられた利得制御用入力３９ａの間には、第１のＡＧＣ（自動利得制御）電圧を出力する利得制御器５５が接続されており、復調器５１の入力と増幅器４５に設けられた利得制御用入力４５ａの間には、第２のＡＧＣ電圧を出力する利得制御器５７が接続されている。
【００２４】
同様に、チューナ部２９には、アンテナ５９が接続された入力端子６１から出力端子６３に向かって順に、増幅器６５、混合器６７、フィルタ６９、増幅器７１、Ａ／Ｄコンバータ７３、フィルタ７５、復調器７７が設けられている。混合器６７の他方の入力には発振器７９の出力が接続されている。
【００２５】
また、復調器７７から出力されるＣ／Ｎ信号を予め定められた基準値と比較するＣ／Ｎ検出器７７ａが設けられている。
【００２６】
さらに、混合器６７の出力と増幅器６５に設けられた利得制御用入力６５ａの間には、第３のＡＧＣ電圧を出力する利得制御器８１が接続され、復調器７７の入力と増幅器７１に設けられた利得制御用入力７１ａの間には、第４のＡＧＣ電圧を出力する利得制御器８３が接続されている。
【００２７】
また、利得制御器５５、５７、８１、８３からそれぞれ出力される第１〜第４のＡＧＣ電圧は、ＡＧＣ電圧検出器３１の入力３１ａ、３１ｂ、３１ｃ、３１ｄにそれぞれ接続され、ＡＧＣ電圧検出器３１の出力３１ｅからは受信品質の検出信号が出力される。
【００２８】
次に、ダイバシティ部２５は、出力端子３７、６３がそれぞれ接続される入力端子８６ａ、８６ｂと、この入力端子８６ａ、８６ｂの間に接続されるサブキャリア検出器８４と、入力端子８６ａ、８６ｂからの信号がそれぞれ供給されるサブキャリア選択・合成器８５と、サブキャリア選択・合成器８５からの出力信号がそれぞれ供給される誤り訂正回路８７、８９と、誤り訂正回路８７、８９からのＴＳ信号がそれぞれ出力される出力端子２５ａ、２５ｂと、誤り訂正回路８７、８９からそれぞれ出力されるＢＥＲ信号を予め定められた基準値と比較するＢＥＲ検出器９１、９２から構成されている。
【００２９】
また、サブキャリア検出器８４とサブキャリア選択・合成器８５によりダイバシティ回路８６が構成されている。
【００３０】
さらに、システム制御部２６には、ＢＥＲ検出器９１、９２からの検出信号がそれぞれ入力される入力２６ａ、２６ｂと、ＡＧＣ電圧検出器３１からの検出信号が入力される入力２６ｃと、サブキャリア選択・合成器８５からの受信品質信号が入力される入力２６ｄと、サブキャリア選択・合成器８５に対する制御信号が出力される出力２６ｅと、高周波受信部２３に対する制御信号が出力される出力２６ｆと、Ｃ／Ｎ検出器５１ａ、７７ａからそれぞれ出力されるＣ／Ｎ検出信号が入力される２６ｇ、２６ｈがそれぞれ設けられている。
【００３１】
以上のように構成された高周波受信装置２１によるシングル受信、ダイバシティ受信について説明する。
【００３２】
なお、１セグメント信号をシングル受信する場合は、例えばチューナ部２７、誤り訂正回路８７、Ｃ／Ｎ検出器８５ｂを用い、１２セグメント信号をシングル受信する場合は、例えばチューナ部２９、誤り訂正回路８９、Ｃ／Ｎ検出器８５ｂを用い、１セグメント信号、あるいは１３セグメント信号をダイバシティ受信する場合は、例えばチューナ部２７、２９、誤り訂正回路８７、Ｃ／Ｎ検出器８５ｂを用いるものとしている。
【００３３】
また、受信品質検出器として、誤り訂正回路８７、８９から出力されるＢＥＲ信号を検出するＢＥＲ検出器９１、９２、復調器５１、７７からそれぞれ出力されるＣ／Ｎ信号を検出するＣ／Ｎ検出器５１ａ、７７ａ、サブキャリア選択・合成器８５から出力されるＣ／Ｎ信号を検出するＣ／Ｎ検出器８５ｂ、第１〜第４のＡＧＣ（自動利得制御）電圧を用いたＡＧＣ電圧検出器３１の少なくとも一つ以上を用いて受信品質の検出を行うことができる。
【００３４】
なお、高周波受信部２３において１セグメント信号を受信する場合と１２セグメント信号を受信する場合にはチューナ部２７およびチューナ部２９の消費電力が異なる。この１セグメント信号の受信では、１２セグメント信号の受信に対して、受信帯域が狭いのでチューナ部２７のフィルタ４３およびチューナ部２９のフィルタ６９はフィルタの次数を低減でき、さらにＡ／Ｄコンバータ４７、７３のサンプリング周波数を低下することができる。このように、１セグメント信号の受信では１２セグメント信号の受信に対してさらに消費電力を低下することができる。
【００３５】
次に、受信品質検出器として、例えばＣ／Ｎ検出器８５ｂを用いた場合の各受信モードの動作について、（表１）を用いて説明する。
【００３６】
【表１】
2010056838.tif 000003
【００３７】
モードＡ（１セグメントをダイバ受信）は、１セグメント信号をチューナ部２７、２９によりダイバシティ受信する場合である。
【００３８】
このモードＡ（１セグメントをダイバ受信）では、例えばＣ／Ｎが５ｄＢ以上において１セグメント信号をダイバシティ受信することにより受信品質を確保でき、高周波受信部２３の消費電力は例えば１００ｍＷとなる。なお、シングル受信に換算すると所要Ｃ／Ｎは２ｄＢ以上となる。
【００３９】
モードＢ（１セグメントをシングル受信）は、１セグメント信号をチューナ部２７によりシングル受信する場合である。
【００４０】
このモードＢ（１セグメントをシングル受信）では、Ｃ／Ｎが５ｄＢ以上において１セグメント信号をシングル受信でき、高周波受信部２３の消費電力は６０ｍＷとなる。
【００４１】
モードＣ（１２セグメントを間欠的にシングル受信）は、チューナ部２９により１２セグメント信号を間欠的にシングル受信する場合である。
【００４２】
このモードＣ（１２セグメントを間欠的にシングル受信）では、Ｃ／Ｎが１７ｄＢ以上となった場合に、モードＢ（１セグメントをシングル受信）からモードＤ（１２セグメントをダイバ受信）に移行できる。
【００４３】
このモードＣ（１２セグメントを間欠的にシングル受信）における消費電力は、モードＥ（１２セグメントをシングル受信）の消費電力２００ｍＷに対して、チューナ部２９の動作時間を１０分の１と間欠的に動作させた場合には消費電力を２０ｍＷと小さくできる。
【００４４】
モードＤ（１２セグメントをダイバ受信）は、１２セグメント信号をチューナ部２７、２９によりダイバシティ受信する場合である。
【００４５】
このモードＤ（１２セグメントをダイバ受信）では、Ｃ／Ｎが２０ｄＢ以上において１２セグメント信号をダイバシティ受信でき、高周波受信部２３の消費電力は３５０ｍＷとなる。なお、シングル受信に換算すると所要Ｃ／Ｎは１７ｄＢ以上となる。
【００４６】
モードＥ（１２セグメントをシングル受信）は、１２セグメント信号をチューナ部２９によりシングル受信する場合である。
【００４７】
このモードＥ（１２セグメントをシングル受信）では、Ｃ／Ｎが２０ｄＢ以上において１２セグメント信号をシングル受信でき、高周波受信部２３の消費電力は２００ｍＷとなる。
【００４８】
次に（表１）における代表例として、モードＡ（１セグメントをダイバ受信）、モードＢ（１セグメントをシングル受信）の具体的な動作を以下説明する。
【００４９】
最初に、モードＡ（１セグメントをダイバ受信）について説明する。システム制御部２６の出力２６ｅ、２６ｆからの制御信号により高周波受信装置２１はモードＡ（１セグメントをダイバ受信）の受信状態とされる。
【００５０】
アンテナ３３から入力されたデジタル放送信号は、チューナ部２７の入力端子３５を介して増幅器３９に入力される。この増幅器３９では、利得制御器５５により混合器４１の出力レベルが一定レベルになるように利得制御が行われる。
【００５１】
なお、利得制御器５５への入力は、混合器４１の出力を接続する代わりに、フィルタ４３の出力を接続してもよい。この場合、フィルタ４３により妨害信号が抑圧されるので、増幅器３９は、妨害信号の影響が抑圧されて利得制御されるので、妨害信号による影響を受けることが少なくなる。
【００５２】
この増幅器３９からの出力信号と、発振器５３の出力は共に混合器４１に入力される。この混合器４１からの出力信号は、フィルタ４３により妨害信号が抑圧される。このフィルタ４３からの出力信号は、増幅器４５に入力される。
【００５３】
この増幅器４５は、利得制御器５７により復調器５１への入力信号レベルが一定になるように利得制御される。
【００５４】
さらに、増幅器４５からの出力信号は、Ａ／Ｄコンバータ４７によりアナログ信号からデジタル信号に変換される。このデジタル信号は、フィルタ４９により妨害信号が十分に抑圧され、希望信号だけが出力される。このフィルタ４９の出力信号は、復調器５１により復調される。この復調器５１から出力される復調信号は、出力端子３７から出力される。
【００５５】
同様に、アンテナ５９から入力されたデジタル放送信号は、チューナ部２９の入力端子６１を介して増幅器６５に入力される。この増幅器６５では、利得制御器８１により混合器６７の出力レベルが一定レベルになるように利得制御が行われる。なお、利得制御器８１への入力信号は、混合器６７の出力の代わりにフィルタ６９の出力を供給してもよい。
【００５６】
この増幅器６５からの出力信号と、発振器７９の出力は共に混合器６７に入力される。この混合器６７からの出力信号は、フィルタ６９により妨害信号が抑圧される。このフィルタ６９からの出力信号は、増幅器７１に入力される。
【００５７】
この増幅器７１は、利得制御器８３により復調器７７への入力信号レベルが一定になるように利得制御される。
【００５８】
さらに、増幅器７１からの出力信号は、Ａ／Ｄコンバータ７３によりアナログ信号からデジタル信号に変換される。このデジタル信号は、フィルタ７５により妨害信号が抑圧される。このフィルタ７５の出力信号は、復調器７７により復調される。この復調器７７から出力される復調信号は、出力端子６３から出力される。
【００５９】
これら出力端子３７、６３から出力される復調信号は、ダイバシティ回路８６の入力端子８６ａ、８６ｂにそれぞれ入力される。
【００６０】
この入力端子８６ａ、８６ｂに接続されるサブキャリア検出器８４では、２つの復調信号に含まれるサブキャリアの信号品質が検出される。この検出された信号品質情報に基づいて、それぞれのサブキャリアに対する重み付け係数が算出される。この重み付け係数は、サブキャリア検出器８４の出力８４ａからサブキャリア選択・合成器８５の入力端子８５ａに入力される。
【００６１】
このサブキャリア選択・合成器８５において、それぞれのサブキャリアには重み付け係数が乗算され、さらに合成されたサブキャリア合成信号は例えば出力端子８６ｃから出力される。このように合成された信号は、重み付け係数によってＣ／Ｎが最大２倍に改善される。
【００６２】
そして、このサブキャリア合成信号は、誤り訂正回路８７に入力され、誤り訂正されたＴＳ信号が出力端子２５ａから出力される。この誤り訂正回路８７により誤り訂正される。
【００６３】
また、サブキャリア検出器８４の出力８４ｂからは、復調信号に含まれるサブキャリア信号の受信品質信号が検出される。この検出された受信品質信号は、システム制御部２６の入力２６ｊに入力される。
【００６４】
次に、モードＢ（１セグメントをシングル受信）について説明する。システム制御部２６の出力２６ｅ、２６ｆからの制御信号により高周波受信装置２１はモードＢ（１セグメントをシングル受信）の受信状態とされる。
【００６５】
なお、シングル受信では、例えば、チューナ部２７を動作状態とし、チューナ部２９を非動作状態としている。
【００６６】
このダイバシティ受信からシングル受信への動作は、システム制御部２６の出力２６ｅ、２６ｆからの制御信号により制御され、例えば一方のチューナ部２９は動作状態から非動作状態とされ、他方のチューナ部２７は動作状態とされる。
【００６７】
これにより、システム制御部２６の入力端子８６ａには、チューナ部２７から出力される復調信号が入力される。一方、入力端子８６ｂからは復調信号が入力されない。
【００６８】
そして、ダイバシティ回路８６の出力端子８６ｃからの出力信号は、誤り訂正回路８７に入力され、出力端子２５ａから誤り訂正されたＴＳ信号が出力される。
【００６９】
このようにして、モードＡ（１セグメントをダイバ受信）、モードＢ（１セグメントをシングル受信）と設定することができる。また、モードＤ（１２セグメントをダイバ受信）、モードＥ（１２セグメントをシングル受信）についても同様である。
【００７０】
図２は、これらモードＡ〜Ｅに対応したフローチャートである。特に、本願の特徴は、点線で囲う部分２００で示すように、ステップ２０５であるモードＢ（１セグメントをシングル受信）からステップ２１３であるモードＤ（１２セグメントをダイバ受信）に移行する途中にモードＣ（１２セグメントを間欠的にシングル受信）を設けたことである。
【００７１】
このモードＣ（１２セグメントを間欠的にシングル受信）におけるＣ／Ｎ検出信号等の受信品質信号が良好な場合に、モードＢ（１セグメントをシングル受信）からモードＤ（１２セグメントをダイバ受信）とする。
【００７２】
図２において、ステップ２０１では、モードＡ（１セグメントをダイバ受信）とし、チューナ部２７、２９により１セグメント信号をダイバシティ受信する。このステップ２０１のあとで、ステップ２０３に移行する。
【００７３】
このステップ２０３では、モードＡ（１セグメントをダイバ受信）における受信品質をＣ／Ｎ検出器８５ｂにより検出し、判定結果ＮＧ１（Ｃ／Ｎ＜５ｄＢ）、判定結果ＯＫ１（５ｄＢ≦Ｃ／Ｎ＜８）、判定結果ＯＫ２（８ｄＢ≦Ｃ／Ｎ）の場合には、ステップ２０１、２０３、２０５にそれぞれ移行する。
【００７４】
このステップ２０５では、モードＢ（１セグメントをシングル受信）とし、チューナ部２７により１セグメント信号をシングル受信とする。このステップ２０５のあとで、ステップ２０７とする。
【００７５】
このステップ２０７では、モードＢにおける受信品質をＣ／Ｎ検出器８５ｂにより検出する。この検出結果として、判定結果ＮＧ２（Ｃ／Ｎ＜５ｄＢ）、判定結果ＯＫ３（５ｄＢ≦Ｃ／Ｎ）の場合には、ステップ２０１、ステップ２０９にそれぞれ移行する。
【００７６】
このステップ２０９では、モードＢ（１セグメントをシングル受信）に加えて、モードＣ（１２セグメントを間欠的にシングル受信）とし、チューナ部２７により１セグメント信号をシングル受信とし、チューナ部２９により１２セグメント信号を間欠的にシングル受信とする。
【００７７】
すなわち、チューナ部２９を間欠的に受信状態とし、１２セグメント信号におけるＣ／Ｎを検出する。例えば、モードＣ（１２セグメントを間欠的にシングル受信）におけるチューナ部２９の動作時間を１０分の１とすると、（表１）より明らかなように、モードＥ（１２セグメントをシングル受信）の消費電力２００ｍＷを２０ｍＷとできる。このステップ２０９のあとでステップ２１１に移行する。
【００７８】
このステップ２１１では、モードＣにおける受信品質をＣ／Ｎ検出器８５ｂにより検出する。この検出結果として、判定結果ＮＧ３（Ｃ／Ｎ＜５ｄＢ）、判定結果ＯＫ４（５ｄＢ≦Ｃ／Ｎ＜１７ｄＢ）、判定結果ＯＫ５（１７ｄＢ≦Ｃ／Ｎ）の場合には、ステップ２０１、ステップ２１１、ステップ２１３にそれぞれ移行する。なお、判定結果ＮＧ３（Ｃ／Ｎ＜５）の場合には、ステップ２０７としても良い。
【００７９】
ステップ２１３では、モードＤ（１２セグメントをダイバ受信）とし、チューナ部２７、２９により１２セグメント信号をダイバシティ受信とする。このステップ２１３のあとでステップ２１５に移行する。
【００８０】
このステップ２１５では、モードＤ（１２セグメントをダイバ受信）における受信品質をＣ／Ｎ検出器８５ｂにより検出する。この検出結果としては、判定結果ＮＧ４（Ｃ／Ｎ＜２０ｄＢ）、判定結果ＯＫ６（２０ｄＢ≦Ｃ／Ｎ＜２３ｄＢ）、判定結果ＯＫ７（２３ｄＢ≦Ｃ／Ｎ）の場合には、ステップ２０１、ステップ２１５、ステップ２１７にそれぞれ移行する。なお、判定結果ＮＧ４（Ｃ／Ｎ＜２０）の場合には、ステップ２０５としても良い。
【００８１】
このステップ２１７では、モードＥ（１２セグメントをシングル受信）とし、チューナ部２９により１２セグメント信号をシングル受信とする。このステップ２１７のあとで、ステップ２１９に移行する。
【００８２】
このステップ２１９では、モードＥ（１２セグメントをシングル受信）における受信品質をＣ／Ｎ検出器８５ｂにより検出する。この検出結果として、判定結果ＮＧ５（Ｃ／Ｎ＜１７ｄＢ）、判定結果ＯＫ８（１７ｄＢ≦Ｃ／Ｎ＜２０ｄＢ）、判定結果ＯＫ９（２０ｄＢ≦Ｃ／Ｎ）の場合には、ステップ２０１、ステップ２１３、ステップ２１９にそれぞれ移行する。なお、判定結果ＮＧ５（Ｃ／Ｎ＜１７）の場合には、ステップ２０５としても良い。
【００８３】
このように、Ｃ／Ｎ検出器８５ｂでは、サブキャリア選択・合成器８５から出力されるＣ／Ｎ値を予め定められたＣ／Ｎの基準値と比較検出することができ、これにより、受信品質を検出することができる。
【００８４】
なお、ステップ２１１のモードＢ（１セグメントをシングル受信）からステップ２１３のモードＤ（１２セグメントをダイバ受信）に移行する場合において、モードＤ（１２セグメントをダイバ受信）で１２セグメント信号をダイバシティ受信し１２セグメント信号が画像表示の可能な状態になるまでは、モードＢ（１セグメントをシングル受信）で１セグメント信号を画像表示した状態としておく。これによりモード切替え時の画像の乱れをなくすことができる。
【００８５】
また、本実施の形態ではステップ２０５のモードＢ（１セグメントをシングル受信）からステップ２１７のモードＥ（１２セグメントをシングル受信）へ移行する間にステップ２１３のモードＤ（１２セグメントをダイバ受信）が存在するが、ステップ２１１で受信品質の検出結果がＣ／Ｎ≧２０ｄＢの場合にはステップ２０５のモードＢ（１セグメントをシングル受信）からステップ２１７のモードＥ（１２セグメントをシングル受信）に直接移行しても良い。このように移行することで、より高周波受信装置２１の低消費電力化が可能となる。
【００８６】
このように、受信品質検出器としてＣ／Ｎ検出器８５ｂを用い、モードＡ〜モードＥの切り替えを行ってきたが、シングル受信時においてＣ／Ｎ検出器５１ａ、７７ａを用いることができる。
【００８７】
また、受信品質検出器としてＣ／Ｎ検出器８５ｂの代わりにＢＥＲ検出器９１、９２を用いることができる。このＢＥＲ検出器９１、９２は、Ｃ／Ｎ検出器５１ａ、７７ａ、８５ｂに対して検出時間を必要とするが受信品質の検出精度がより優れている。
【００８８】
さらに、受信品質検出器としてＣ／Ｎ検出器８５ｂの代わりにＡＧＣ電圧検出器３１を用いることができる。このＡＧＣ電圧検出器３１は、Ｃ／Ｎ検出器５１ａ、７７ａ、８５ｂに対して短時間で受信品質を検出できる。従って、移動速度が速い場合には、ＡＧＣ電圧検出器３１により受信品質を検出することができる。
【００８９】
このＡＧＣ電圧検出器３１による受信品質の検出を行うステップ２０６（図示せず）を、ステップ２０５とステップ２０７の間に新たに設けてもよい。
【００９０】
さらにまた、サブキャリア検出器８４は各サブキャリアのＣ／ＮあるいはＣ／Ｎに準じた信頼性情報を検出できるため、例えば特定キャリアの品質が悪い場合などに切り換えを行わないなど、切り換え条件を細かく設定することが可能である。そのためより間違った切り換えを防ぐことが可能になる。
【００９１】
次に、ＡＧＣ電圧検出器３１を用いた場合の具体的な動作を以下説明する。
【００９２】
図３（ａ）は、希望信号だけが入力される場合の増幅器３９のＡＧＣ電圧３０１の特性図である。このＡＧＣ電圧３０１はＡＧＣ電圧検出器３１の入力３１ａに入力される。
【００９３】
なお、横軸３０２は、入力端子３５への入力信号レベルであり、縦軸３０３は、電圧を表している。
【００９４】
また、レベル３０２ａが略−１００ｄＢｍ、レベル３０２ｂを略−５０ｄＢｍとし、レベル３０２ｃを略０ｄＢｍとしている。また、ＡＧＣ電圧３０１は最小利得である上限電圧３０３ａと、最大利得である下限電圧３０３ｂを有している。
【００９５】
さらに、ＡＧＣ電圧３０１は、ＡＧＣ電圧３０１ａとＡＧＣ電圧３０１ｂとからなっている。
【００９６】
このＡＧＣ電圧３０１ａは、レベル３０２ａ（−１００ｄＢｍ）〜レベル３０２ｂ（−５０ｄＢｍ）の弱電界から中電界の入力信号レベルに対するＡＧＣ電圧であり、増幅器４５を最大利得とし、混合器４８への入力レベルを下げないように働く。
【００９７】
この最大利得に対して、最大利得制御範囲Ａを設けている。この最大利得制御範囲Ａとは、下限電圧３０３ｂと、この下限電圧３０３ｂに近接して設けられた最大利得判定電圧３０３ｇとの間の領域である。この最大利得制御範囲Ａにより、ＡＧＣ電圧３０１が最大利得の状態かどうかを判定することができる。
【００９８】
また、ＡＧＣ電圧３０１ｂは、レベル３０２ｂ（−５０ｄＢｍ）〜レベル３０２ｃ（０ｄＢｍ）の中電界から強電界の強い入力信号が入力された場合のＡＧＣ電圧であり、混合器４８の出力レベルを一定レベルに制御する。
【００９９】
図３（ｂ）は、希望信号だけが入力される場合の増幅器４５のＡＧＣ電圧３１１の特性図である。このＡＧＣ電圧３１１は、ＡＧＣ電圧３１１ａとＡＧＣ電圧３１１ｂからなっており、ＡＧＣ電圧検出器３１に入力される。
【０１００】
なお、上限電圧３０３ｃ、下限電圧３０３ｄは、ＡＧＣ電圧３１１の上限電圧、下限電圧をそれぞれ表している。また、最小利得制御範囲Ｂは、上限電圧３０３ｃと、この上限電圧３０３ｃに近接して設けられた最小利得判定電圧１０３ｈとの間の領域である。この最小利得制御範囲Ｂにより、ＡＧＣ電圧３１１が最小利得の状態かどうかを判定することができる。
【０１０１】
ＡＧＣ電圧３１１ａは、レベル３０２ａ（−１００ｄＢｍ）〜レベル３０２ｂ（−５０ｄＢｍ）の弱電界〜中電界の入力信号レベルが入力された場合のＡＧＣ電圧であり、このＡＧＣ電圧３１１ａにより、増幅器４５は利得制御され、復調器５１への入力レベルを下げないように働く。
【０１０２】
ＡＧＣ電圧３１１ｂは、レベル３０２ｂ（−５０ｄＢｍ）〜レベル３０２ｃ（０ｄＢｍ）の中電界〜強電界の入力信号レベルが入力された場合のＡＧＣ電圧である。このＡＧＣ電圧３１１ｂにより、増幅器５０は最小利得とされ、復調器５１への入力レベルを一定レベルに制御する。
【０１０３】
このようにして、入力端子３５に希望信号だけが入力される場合において、弱電界〜中電界の入力信号レベルでは増幅器３９のＡＧＣ電圧３０１は最大利得制御範囲Ａとなり、さらに中電界から強電界の入力信号レベルでは増幅器４５のＡＧＣ電圧３１１は最小利得制御範囲Ｂの電圧を有することとなる。
【０１０４】
すなわち、ＡＧＣ電圧３０１、ＡＧＣ電圧３１１のいずれか一方は、最大利得制御範囲Ａ、最小利得制御範囲Ｂに存在することになる。従って、このＡＧＣ電圧３０１、３１１により希望信号だけが入力された場合の入力信号レベルを検出することができる。ここで、受信品質が劣化するのは、弱電界の希望信号が入力される場合であり、レベル３０２ａに近接した入力信号レベルである。
【０１０５】
次に、希望信号と、この希望信号より２５ｄＢ大きな妨害信号からなる受信信号が入力される場合のＡＧＣ電圧検出器３１の動作について説明する。
【０１０６】
図４（ａ）は、希望信号レベルに対する増幅器３９のＡＧＣ電圧４０１の特性図である。このＡＧＣ電圧４０１は、ＡＧＣ電圧４０１ａ、ＡＧＣ電圧４０１ｂ、およびＡＧＣ電圧４０１ｃとからなっている。
【０１０７】
ＡＧＣ電圧４０１ａは、レベル３０２ａ（−１００ｄＢｍ）〜レベル３０２ｄ（−７５ｄＢｍ）の弱電界の受信信号が入力される場合のＡＧＣ電圧である。この場合、妨害信号も−５０ｄＢｍ以下となって増幅器３９の利得制御に影響を与えることがないので、増幅器４５は最大利得となる。
【０１０８】
ＡＧＣ電圧４０１ｂは、レベル３０２ｄ（−７５ｄＢｍ）〜レベル３０２ｅ（−２５ｄＢｍ）の中電界の受信信号が入力される場合のＡＧＣ電圧である。この場合、妨害信号は−５０ｄＢｍ以上となるので、この妨害信号レベルに応じて増幅器３９の利得制御が行われる。
【０１０９】
ＡＧＣ電圧４０１ｃは、レベル３０２ｅ（−２５ｄＢｍ）〜レベル３０２ｃ（０ｄＢｍ）の強電界の受信信号が入力される場合のＡＧＣ電圧である。この場合、妨害信号が０ｄＢｍ以上となるので、増幅器３９は最小利得とされる。
【０１１０】
図４（ｂ）は、受信信号に対する増幅器４５のＡＧＣ電圧４１１の特性図である。このＡＧＣ電圧４１１は、ＡＧＣ電圧４１１ａ、ＡＧＣ電圧４１１ｂ、およびＡＧＣ電圧４１１ｃとからなっている。
【０１１１】
ＡＧＣ電圧４１１ａは、レベル３０２ａ（−１００ｄＢｍ）〜レベル３０２ｄ（−７５ｄＢｍ）の弱電界の受信信号が入力される場合のＡＧＣ電圧である。この場合、増幅器４５から出力される信号は、フィルタ４９を介して増幅器５０に入力される。この増幅器５０に入力される信号は、妨害信号がフィルタ４９により抑圧されるので、希望信号のみとなる。これにより、ＡＧＣ電圧４１１ａは、レベル３０２ａ（−１００ｄＢｍ）〜レベル３０２ｄ（−７５ｄＢｍ）の希望信号レベルに応じた利得制御が行われる。
【０１１２】
次に、ＡＧＣ電圧４１１ｂは、レベル３０２ｄ（−７５ｄＢｍ）〜レベル３０２ｅ（−２５ｄＢｍ）の中電界付近の受信信号が入力される場合のＡＧＣ電圧である。
【０１１３】
この場合、ＡＧＣ電圧４０１ｂは、−５０ｄＢｍ以上の妨害信号により増幅器３９において利得制御されている。この増幅器３９からは、妨害信号により必要以上に利得制御された希望信号と、妨害信号が出力される。
【０１１４】
これら信号はフィルタ４３に入力されて妨害信号が抑圧され、フィルタ４３から小さなレベルの希望信号のみが出力される。この小さい希望信号を増幅することになり、増幅器４５のＡＧＣ電圧４１１ｂは、一定の利得制御量を有することになる。
【０１１５】
さらに、ＡＧＣ電圧４１１ｃは、レベル３０２ｅ（−２５ｄＢｍ）〜レベル３０２ｃ（０ｄＢｍ）の強電界の受信信号が入力される場合のＡＧＣ電圧である。この場合、妨害信号が０ｄＢｍ以上となり、ＡＧＣ電圧４１１ｂと同様に一定の利得制御量を有することになる。
【０１１６】
このようにして、レベル３０２ｄ（−７５ｄＢｍ）以上において、ＡＧＣ電圧４０１ｂおよび４０１ｃは最大利得制御範囲Ａとならず、かつＡＧＣ電圧４１１ｂおよび４１１ｃは最小利得制御範囲Ｂとならない。
【０１１７】
これにより、各ＡＧＣ電圧が比較・検出されるＡＧＣ電圧検出器３１を用いて、希望信号による弱電界での受信品質の劣化であるのか、あるいは希望信号とともに入力される大きな妨害信号による受信品質の劣化であるのかが検出できる。この各ＡＧＣ電圧は、移動受信中において受信条件が変化した場合であっても、ＡＧＣ電圧で検出するため追従性が非常に良好である。
【０１１８】
従って、例えば、刻々と受信状況が変化する高速移動中であっても、受信品質を損なうことなく、シングル受信とダイバシティ受信の切替えをスムーズに行うことができる。なお、本実施の形態においては受信品質を検出する手段としてＡＧＣ電圧を用いているが、例えば離散的に利得が切り替わる増幅器を用いる場合には受信品質を検出する手段としてＡＧＣ電圧をデジタル信号としたＡＧＣレジスタ情報（デジタル値）などを用いても良い。
【０１１９】
これにより受信品質の検出がより正確に出来るとともに、このデジタル信号を例えばＩ２Ｃバスラインにより信号処理できるので、共通のＩ２Ｃバスラインにより信号処理が可能となる。これにより、アナログ部とデジタル部の半導体を１チップに集積化しやすくなり、高周波受信装置２１をより小型化に出来る。
【０１２０】
以上のように、一方のチューナ部２７をモードＢ（１セグメントをシングル受信）の受信状態とし、さらにモードＤ（１２セグメントをダイバ受信）の受信状態に移行する場合において、一方のチューナ部２７によるモードＢ（１セグメントをシングル受信）の受信に加えて他方のチューナ部２９によりモードＣ（１２セグメントを間欠的にシングル受信）の受信状態とする。
【０１２１】
この他方のチューナ部２９をモードＣ（１２セグメントを間欠的にシングル受信）として１２セグメント信号を間欠的にシングル受信することにより１２セグメント信号におけるＣ／Ｎを検出することができる。
【０１２２】
この間欠的にシングル受信するチューナ部２９の動作時間を１０分の１とすると、（表１）より明らかなように、モードＣ（１２セグメントを間欠的にシングル受信）における消費電力を２０ｍＷと大幅に低減できる。
【０１２３】
すなわち、モードＥ（１２セグメントをシングル受信）における消費電力２００ｍＷに対して、モードＣ（１２セグメントを間欠的にシングル受信）では１０分の１にできる。
【０１２４】
なお、部分セグメント信号を１セグメント信号として説明したが、例えば３セグメント信号の複数セグメント信号としても同様である。
【０１２５】
例えば、部分セグメント信号のセグメント数をＮ（Ｎは自然数）としてＮセグメント信号とし、このＮセグメント信号よりセグメント数の大きいセグメント信号をＭセグメント（Ｎ＜Ｍ、Ｍは自然数）とする。
【０１２６】
このＮセグメント信号をシングル受信している状態から、Ｍセグメント信号をダイバシティ受信する状態においても、Ｍセグメント信号をシングル受信しているチューナ部２９により間欠的にシングル受信するモードＣを設ける。これにより、低消費電力化を行うことが可能となる。
【０１２７】
さらに、チューナ部２７、２９を複数のチューナ部とし、これら複数のチューナ部からの出力信号をダイバシティ回路８６にそれぞれ供給してもよい。この複数のチューナ部によりシングル受信、ダイバシティ受信を選択することにより、さらに受信品質を改善することができる。
【産業上の利用可能性】
【０１２８】
本発明の高周波受信部は、１セグメント受信から１２セグメント受信への切替えを低消費電力にスムーズに行うことができるので、移動用携帯機等に適用することができる。
【図面の簡単な説明】
【０１２９】
【図１】本発明の実施の形態１における高周波受信装置のブロック図
【図２】同、各モードＡ〜Ｅを用いたフローチャート
【図３】（ａ）同、希望信号レベルに対する第１のＡＧＣ電圧を表す図、（ｂ）同、希望信号レベルに対する第２のＡＧＣ電圧を表す図
【図４】（ａ）同、受信信号レベルに対する第１のＡＧＣ電圧を表す図、（ｂ）同、受信信号レベルに対する第２のＡＧＣ電圧を表す図
【図５】従来の高周波受信装置のブロック図
【符号の説明】
【０１３０】
２１  高周波受信装置
２３  高周波受信部
２５  ダイバシティ部
２７  チューナ部
２９  チューナ部
３５  入力端子
６１  入力端子
８５ｂ  Ｃ／Ｎ検出器
【図１】
2010056838.tif 000004
【図２】
2010056838.tif 000005
【図３】
2010056838.tif 000006
【図４】
2010056838.tif 000007
【図５】
2010056838.tif 000008